(57)【要約】【課題】耐熱性の向上。【解決手段】導電部材１０１に流れる電流に応じた磁束を発生させる磁気コア部材１０と、磁気コア部材のギャップ部１２における磁束密度に応じた信号を出力する磁気センサ２０と、コア主体を外方側から囲うシールド主体３１でシールド主体の内方と外方との間における磁気を遮蔽する磁気シールド部材３０と、これらを内包させるセンサ収容部材５０と、を備え、センサ収容部材は、筒状に形成され、かつ、磁気コア部材の内方に筒軸方向に沿って挿通されると共に、自らの内方に導電部材を筒軸方向に沿って挿通させる筒状収容体６１を有し、筒状収容体は、挿通させた導電部材に対して触れることなく環状の隙間Ｄを空けて配置された内周壁６１Ａと、挿通させた導電部材に向けて内周壁の複数箇所から突出させ、隙間を保ちつつ導電部材を保持する保持部６１Ｂと、を有し、挿通させた導電部材との間に隙間を用いた空気層Ｓａを形成すること。【選択図】図６
2018189504.tif 000002
【特許請求の範囲】
【請求項１】
通電対象物である導電部材を内方で間隔を空けて囲う筒体に対して筒軸方向に沿うスリット状のギャップ部が形成されたコア主体を有し、前記導電部材に流れる電流に応じた磁束を発生させる磁気コア部材と、
前記ギャップ部における磁束密度に応じた信号を出力する磁気センサと、
前記コア主体を外方側から囲うシールド主体を有し、前記シールド主体で前記シールド主体の内方と外方との間における磁気を遮蔽する磁気シールド部材と、
前記磁気コア部材、前記磁気センサ及び前記磁気シールド部材を内包させるセンサ収容部材と、
を備え、
前記センサ収容部材は、筒状に形成され、かつ、前記磁気コア部材の内方に前記筒軸方向に沿って挿通されると共に、自らの内方に前記導電部材を前記筒軸方向に沿って挿通させる筒状収容体を有し、
前記筒状収容体は、挿通させた前記導電部材に対して触れることなく環状の隙間を空けて配置された内周壁と、挿通させた前記導電部材に向けて前記内周壁の複数箇所から突出させ、前記隙間を保ちつつ前記導電部材を保持する保持部と、を有し、挿通させた前記導電部材との間に前記隙間を用いた空気層を形成することを特徴とした電流センサ。
【請求項２】
前記保持部は、前記筒軸方向に対する直交断面で且つ前記直交断面における前記導電部材との接触点側にて、前記保持部の突出方向における単位長さ当りの断面積が前記導電部材との接触点に近づくにつれて小さくなるように形成することを特徴とした請求項１に記載の電流センサ。
【請求項３】
前記磁気コア部材と前記磁気センサと前記磁気シールド部材の組み合わせは、複数の前記導電部材を有する交流回路にて前記導電部材毎に設け、
前記筒状収容体は、前記交流回路にて前記導電部材毎に設けることを特徴とした請求項１又は２に記載の電流センサ。
【発明の詳細な説明】
【技術分野】
【０００１】
本発明は、電流センサに関する。
【背景技術】
【０００２】
従来、導電部材（バスバ等）に流れる電流を測定する電流センサが知られている。電流センサは、導電部材を内方で囲い、この導電部材に流れる電流に応じた磁束を発生させる磁気コア部材と、この磁気コア部材の磁束に応じた信号を出力する磁気検出素子（ホール素子等）と、を備える。その磁気コア部材と磁気検出素子は、合成樹脂等の絶縁性材料から成る収容部材の収容室に収容され、その収容室で電流測定対象の導電部材と共に保持される。この種の電流センサは、例えば、下記の特許文献１に開示されている。
【先行技術文献】
【特許文献】
【０００３】
【特許文献１】特開２０１４−１０９５１８号公報
【発明の概要】
【発明が解決しようとする課題】
【０００４】
ところで、電流測定対象の導電部材は、流れる電流が大電流であるほど発熱量が大きい。故に、電流センサは、導電部材が高温になってしまう可能性を考慮して、導電部材の熱による影響を受け難くしておくことが望ましい。
【０００５】
そこで、本発明は、耐熱性に優れた電流センサを提供することを、その目的とする。
【課題を解決するための手段】
【０００６】
上記目的を達成する為、本発明は、通電対象物である導電部材を内方で間隔を空けて囲う筒体に対して筒軸方向に沿うスリット状のギャップ部が形成されたコア主体を有し、前記導電部材に流れる電流に応じた磁束を発生させる磁気コア部材と、前記ギャップ部における磁束密度に応じた信号を出力する磁気センサと、前記コア主体を外方側から囲うシールド主体を有し、前記シールド主体で前記シールド主体の内方と外方との間における磁気を遮蔽する磁気シールド部材と、前記磁気コア部材、前記磁気センサ及び前記磁気シールド部材を内包させるセンサ収容部材と、を備え、前記センサ収容部材は、筒状に形成され、かつ、前記磁気コア部材の内方に前記筒軸方向に沿って挿通されると共に、自らの内方に前記導電部材を前記筒軸方向に沿って挿通させる筒状収容体を有し、前記筒状収容体は、挿通させた前記導電部材に対して触れることなく環状の隙間を空けて配置された内周壁と、挿通させた前記導電部材に向けて前記内周壁の複数箇所から突出させ、前記隙間を保ちつつ前記導電部材を保持する保持部と、を有し、挿通させた前記導電部材との間に前記隙間を用いた空気層を形成することを特徴としている。
【０００７】
ここで、前記保持部は、前記筒軸方向に対する直交断面で且つ前記直交断面における前記導電部材との接触点側にて、前記保持部の突出方向における単位長さ当りの断面積が前記導電部材との接触点に近づくにつれて小さくなるように形成することが望ましい。
【０００８】
また、前記磁気コア部材と前記磁気センサと前記磁気シールド部材の組み合わせは、複数の前記導電部材を有する交流回路にて前記導電部材毎に設け、前記筒状収容体は、前記交流回路にて前記導電部材毎に設けることが望ましい。
【発明の効果】
【０００９】
本発明に係る電流センサにおいては、筒状収容体と導電部材との間に空気層が介在しているので、導電部材が通電に伴い発熱した際に、その空気層による断熱効果を得ることができる。つまり、この電流センサにおいては、空気層によって導電部材の熱が筒状収容体に伝わり難くなっているので、筒状収容体、延いてはセンサ収容部材の耐久性を向上させることができる。従って、この電流センサにおいては、導電部材に対する筒状収容体の保持力を維持することができるので、収容室に対する導電部材の相対的な位置の変化を抑制することができる。このように、本発明に係る電流センサは、耐熱性に優れたものとなる。
【図面の簡単な説明】
【００１０】
【図１】図１は、実施形態の電流センサを示す斜視図である。
【図２】図２は、実施形態の電流センサを筒軸方向に見た平面図である。
【図３】図３は、実施形態の電流センサの分解斜視図である。
【図４】図４は、実施形態の電流センサの適用例の１つを説明する図であり、ＰＣＵ用の電流センサ装置を示す斜視図である。
【図５】図５は、電流センサ装置の分解斜視図である。
【図６】図６は、図４のＸ−Ｘ線断面図である。
【発明を実施するための形態】
【００１１】
以下に、本発明に係る電流センサの実施形態を図面に基づいて詳細に説明する。尚、この実施形態によりこの発明が限定されるものではない。
【００１２】
［実施形態］
本発明に係る電流センサの実施形態の１つを図１から図６に基づいて説明する。
【００１３】
図１及び図２の符号１は、本実施形態の電流センサを示す。この電流センサ１は、通電対象物である導電部材１０１（図１及び図２）に流れる電流を測定するセンサである。ここでは、その導電部材１０１として、金属等の導電性材料で板状に成形されたバスバを例示している。この電流センサ１は、磁気コア部材１０と磁気センサ２０と磁気シールド部材３０とを備える。
【００１４】
磁気コア部材１０は、導電部材１０１に流れる電流に応じた磁束を発生させる部材であり、フェライト等の磁性材料で成形される。この磁気コア部材１０は、コア主体１１を有する。コア主体１１とは、導電部材１０１を内方で間隔を空けて囲う筒体が主たる形状となり、その筒体に対して筒軸方向に沿うスリット状のギャップ部１２が形成されたものである。
【００１５】
この例示のコア主体１１は、角筒状の筒体における４つの壁（第１から第４の壁１１ａ−１１ｄ）の内の１つにギャップ部１２を設けている（図２及び図３）。このコア主体１１は、平面同士が互いに間隔を空けて対向配置された矩形状の第１壁１１ａ及び第２壁１１ｂと、その対向配置方向に対する直交方向で平面同士が互いに間隔を空けて対向配置された矩形状の第３壁１１ｃ及び第４壁１１ｄと、を有する。このコア主体１１においては、第２壁１１ｂの中央に矩形状のギャップ部１２を設けている。故に、第２壁１１ｂは、そのギャップ部１２を境にして、第３壁１１ｃ側の第１片部１１ｂ１と、第４壁１１ｄ側の第２片部１１ｂ２と、に分けられている。
【００１６】
磁気コア部材１０においては、コア主体１１の内方に導電部材１０１を筒軸方向に沿って挿通させ、かつ、そのコア主体１１の内方で導電部材１０１をギャップ部１２に対して対向配置させる。ここでは、導電部材１０１における一方の平面をギャップ部１２に対向配置させている。導電部材１０１においては、ギャップ部１２に対して対向配置されている部分が電流の測定対象の部位（以下、「電流測定対象部」という。）１０１ａとなる（図１）。
【００１７】
磁気センサ２０は、ギャップ部１２における磁束密度に応じた信号を出力させるものである。この磁気センサ２０は、磁気検出素子を有するセンサ本体２１と、信号の出力を担う導電性のリード線２２と、を備える（図１から図３）。
【００１８】
この例示では、磁気センサ２０としてホールＩＣ（Integrated  Circuit）を用いる。ホールＩＣは、図示しないが、磁気検出素子としてのホール素子と、このホール素子の出力信号を増幅させるアンプ回路と、を備える。センサ本体２１は、そのホール素子とアンプ回路を内包している。ホール素子は、磁束密度に応じたホール電圧の信号（出力信号）を出力する。例えば、このホール素子は、導電部材１０１の電流測定対象部１０１ａの幅方向における略中央から導電部材１０１の平面に対する直交方向へと所定の間隔を空けた位置に設ける。ここでは、そのようなホール素子の配置が為されるように、ギャップ部１２に磁気センサ２０のセンサ本体２１を配置している。この磁気センサ２０においては、ギャップ部１２の磁束密度に応じたホール電圧の信号をホール素子が出力し、その出力信号をアンプ回路で増幅する。この磁気センサ２０においては、その増幅された出力信号をリード線２２から出力する。
【００１９】
磁気シールド部材３０は、磁気コア部材１０のコア主体１１を外方側から囲うシールド主体３１を有するものであり、そのシールド主体３１でシールド主体３１の内方と外方との間における磁気を遮蔽する。この磁気シールド部材３０は、フェライト等の磁性材料で成形される。
【００２０】
シールド主体３１は、コア主体１１の第１壁１１ａに対して外方側で対向配置された矩形状の第１壁３１ａと、コア主体１１の第３壁１１ｃに対して外方側で対向配置された矩形状の第２壁３１ｂと、コア主体１１の第４壁１１ｄに対して外方側で対向配置された矩形状の第３壁３１ｃと、を少なくとも有する（図２及び図３）。この例示の第１壁３１ａは、外方側から第１壁１１ａを覆い隠すことが可能なものとして形成及び配置されている。この例示の第２壁３１ｂは、外方側から第３壁１１ｃを覆い隠すことが可能なものとして形成及び配置されている。この例示の第３壁３１ｃは、外方側から第４壁１１ｄを覆い隠すことが可能なものとして形成及び配置されている。このシールド主体３１においては、第１壁３１ａの対向配置された２つの辺部から第２壁３１ｂと第３壁３１ｃとが各々垂設されている。そして、この３つの壁で形成されたシールド主体３１においては、第２壁３１ｂと第３壁３１ｃのそれぞれの自由端の辺部同士が成す矩形の開口部に磁気センサ２０が配置される。その開口部は、磁気コア部材１０のギャップ部１２に対して、コア主体１１の外方側で間隔を空けて対向配置されている。
【００２１】
この例示のシールド主体３１は、更に、コア主体１１における第１片部１１ｂ１に対して外方側で対向配置された矩形状の第１片部３１ｄと、コア主体１１における第２片部１１ｂ２に対して外方側で対向配置された矩形状の第２片部３１ｅと、を有している（図２及び図３）。その第１片部３１ｄと第２片部３１ｅは、上記の第２壁３１ｂと第３壁３１ｃとが成す開口部を縮小させるものであり、その開口部を介したシールド主体３１の内方への外部磁場の侵入を低減させるものである。つまり、シールド主体３１の内方では、ギャップ部１２に対向配置された開口部が大きいほど、外部磁場の影響を受け易い。しかしながら、この例示の第１片部３１ｄと第２片部３１ｅは、上記の第２壁３１ｂと第３壁３１ｃとが成す開口部と比較して、開口部を狭めることができるので、シールド主体３１の内方での外部磁場の影響を軽減させることができる。この例示のシールド主体３１は、その外部磁場の影響を鑑みた上で、第２壁３１ｂの端部から第３壁３１ｃ（第２片部３１ｅ）に向けて第１片部３１ｄを垂設させると共に、第３壁３１ｃの端部から第２壁３１ｂ（第１片部３１ｄ）に向けて第２片部３１ｅを垂設させる。
【００２２】
この電流センサ１は、電流測定対象の導電部材１０１毎に設ける。例えば、複数の導電部材１０１を有する交流回路においては、その導電部材１０１毎に、磁気コア部材１０と磁気センサ２０と磁気シールド部材３０の組み合わせを設けてもよい。
【００２３】
以下に、この電流センサ１の適用例の１つを示す。ここでは、図示しないが、回転機（電動機）を駆動源として備えた車両（ハイブリッド車両や電磁自動車等）のパワーコントロールユニット（ＰＣＵ）に適用されるものとして説明する。そのＰＣＵは、回転機を駆動するインバータ（図示略）と、このインバータにおける３相交流回路の相毎（導電部材１０１毎）の電流を測定する電流センサ（以下、説明の便宜上、「電流センサ装置」という。）５（図４及び図５）と、を備えている。尚、図５では、後述する保持体６４を省略している。
【００２４】
電流センサ装置５においては、それぞれの相毎に電流センサ１が設けられている。この電流センサ装置５は、電流センサ１として、例えば、第１回転機（電動機）側のＵ相とＶ相とＷ相とに各々設けられた３つの電流センサ１Ｕｍ，１Ｖｍ，１Ｗｍと、第２回転機（発電機）側のＵ相とＶ相とＷ相とに各々設けられた３つの電流センサ１Ｕｊ，１Ｖｊ，１Ｗｊと、を備える。
【００２５】
第１回転機側の電流センサ１Ｕｍ，１Ｖｍ，１Ｗｍは、各々、第１回転機側の導電部材１０１としての導電部材１０１Ｕｍ，１０１Ｖｍ，１０１Ｗｍに流れる電流を測定する。その導電部材１０１Ｕｍ，１０１Ｖｍ，１０１Ｗｍは、各々、第１回転機側のＵ相とＶ相とＷ相とに電気的に接続されると共に、インバータ側のＵ相とＶ相とＷ相とに電気的に接続される。例えば、導電部材１０１Ｕｍ，１０１Ｖｍ，１０１Ｗｍは、各々、第１回転機側のＵ相の導電部材（図示略）とＶ相の導電部材（図示略）とＷ相の導電部材（図示略）とに螺子止め等で固定される。一方、導電部材１０１Ｕｍ，１０１Ｖｍ，１０１Ｗｍは、各々、インバータ側のＵ相の導電部材（図示略）とＶ相の導電部材（図示略）とＷ相の導電部材（図示略）とに溶接等で固定される。
【００２６】
第２回転機側の電流センサ１Ｕｊ，１Ｖｊ，１Ｗｊは、各々、第２回転機側の導電部材１０１としての導電部材１０１Ｕｊ，１０１Ｖｊ，１０１Ｗｊに流れる電流を測定する。その導電部材１０１Ｕｊ，１０１Ｖｊ，１０１Ｗｊは、各々、第２回転機側のＵ相とＶ相とＷ相とに電気的に接続されると共に、インバータ側のＵ相とＶ相とＷ相とに電気的に接続される。例えば、導電部材１０１Ｕｊ，１０１Ｖｊ，１０１Ｗｊは、各々、第２回転機側のＵ相の導電部材（図示略）とＶ相の導電部材（図示略）とＷ相の導電部材（図示略）とに螺子止め等で固定される。一方、導電部材１０１Ｕｊ，１０１Ｖｊ，１０１Ｗｊは、各々、インバータ側のＵ相の導電部材（図示略）とＶ相の導電部材（図示略）とＷ相の導電部材（図示略）とに溶接等で固定される。
【００２７】
尚、この電流センサ装置５は、電流センサ１として、コントローラ用電源（図示略）の正極側に設けられた電流センサ１Ｐを備えている。その電流センサ１Ｐは、コントローラ用電源の正極に電気的に接続された導電部材１０１（導電部材１０１Ｐ）に関わるものであり、その導電部材１０１Ｐに流れる電流を測定する。
【００２８】
電流センサ装置５は、それぞれの電流センサ１Ｕｍ，１Ｖｍ，１Ｗｍ，１Ｕｊ，１Ｖｊ，１Ｗｊ，１Ｐと共に、そのそれぞれの導電部材１０１Ｕｍ，１０１Ｖｍ，１０１Ｗｍ，１０１Ｕｊ，１０１Ｖｊ，１０１Ｗｊ，１０１Ｐを備えている。また、この電流センサ装置５においては、コントローラ用電源の負極に電気的に接続される導電部材１０２も備えている。それぞれの導電部材１０１Ｕｍ，１０１Ｖｍ，１０１Ｗｍ，１０１Ｕｊ，１０１Ｖｊ，１０１Ｗｊ，１０１Ｐ，１０２は、各々、板状のバスバとして成形されている。この電流センサ装置５では、それぞれの導電部材１０１Ｕｍ，１０１Ｖｍ，１０１Ｗｍ，１０１Ｕｊ，１０１Ｖｊ，１０１Ｗｊ，１０１Ｐ，１０２に同一品を用いている。
【００２９】
ここで、電流センサ１は、磁気センサ２０のリード線２２からの出力信号が入力される回路基板４０を備える（図５）。その回路基板４０は、磁気センサ２０の出力信号に基づく出力信号を出力するものであり、例えば、磁気センサ２０の出力信号（ホール電圧の信号）に基づいて電流値を演算し、その電流値に係る出力信号を出力する。例えば、回路基板４０は、電気回路が形成された矩形状且つ板状の主体４１と、その電気回路に対して電気的に接続された出力端子４２と、を備えており、生成した出力信号を出力端子４２から出力する。その出力端子４２には、相手方コネクタ１１０（図４）の相手方端子が嵌合されて電気的に接続される。回路基板４０からの出力信号は、その相手方コネクタを介して、例えば、電子制御装置（図示略）等の信号送信対象に送られる。
【００３０】
その回路基板４０は、電流センサ１毎に設けてもよい。但し、この例示の電流センサ装置５においては、回路基板４０が１枚だけ用意されており、その１枚の回路基板４０をそれぞれの電流センサ１Ｕｍ，１Ｖｍ，１Ｗｍ，１Ｕｊ，１Ｖｊ，１Ｗｊ，１Ｐに対して電気的に接続している。その１枚の回路基板４０には、長手方向に沿って、それぞれの電流センサ１Ｕｍ，１Ｖｍ，１Ｗｍ，１Ｕｊ，１Ｖｊ，１Ｗｊ，１Ｐがリード線２２を介して１つずつ電気的に接続されている。回路基板４０は、それぞれの電流センサ１Ｕｍ，１Ｖｍ，１Ｗｍ，１Ｕｊ，１Ｖｊ，１Ｗｊ，１Ｐに対して、磁気シールド部材３０のシールド主体３１の外方側で、第１片部３１ｄと第２片部３１ｅに対して対向配置されている。回路基板４０と第１及び第２の片部３１ｄ，３１ｅは、その平面同士を互いに間隔を空けた状態で対向配置されている。
【００３１】
また、電流センサ１は、磁気コア部材１０と磁気センサ２０と磁気シールド部材３０とを内包させるセンサ収容部材５０を備える（図４及び図５）。そのセンサ収容部材５０は、合成樹脂等の絶縁性材料で成形する。このセンサ収容部材５０には、磁気コア部材１０と磁気センサ２０と磁気シールド部材３０とを収容する収容室５１が設けられている。更に、センサ収容部材５０には、磁気コア部材１０と磁気シールド部材３０と導電部材１０１の収容室５１での位置決めを可能にすると共に、磁気コア部材１０と磁気シールド部材３０と導電部材１０１とを保持する位置決め保持機構６０が設けられている（図４から図６）。このセンサ収容部材５０は、インバータに対して螺子止め等で固定される。尚、図６では、後述する保持体６４を省略している。
【００３２】
そのセンサ収容部材５０は、電流センサ１毎に設けてもよい。但し、この例示の電流センサ装置５においては、センサ収容部材５０が１つだけ用意されている。そのセンサ収容部材５０の収容室５１には、それぞれの電流センサ１Ｕｍ，１Ｖｍ，１Ｗｍ，１Ｕｊ，１Ｖｊ，１Ｗｊ，１Ｐの磁気コア部材１０と磁気センサ２０と磁気シールド部材３０とが収容される。更に、この収容室５１には、それぞれの導電部材１０１Ｕｍ，１０１Ｖｍ，１０１Ｗｍ，１０１Ｕｊ，１０１Ｖｊ，１０１Ｗｊ，１０１Ｐについても収容される。この例示のセンサ収容部材５０には、それぞれの電流センサ１Ｕｍ，１Ｖｍ，１Ｗｍ，１Ｕｊ，１Ｖｊ，１Ｗｊ，１Ｐの磁気コア部材１０と磁気センサ２０と磁気シールド部材３０とを一纏めに収容する収容室５１が１つ形成されている。その１つの収容室５１には、それぞれの電流センサ１Ｕｍ，１Ｖｍ，１Ｗｍ，１Ｕｊ，１Ｖｊ，１Ｗｊ，１Ｐと共に、それぞれの導電部材１０１Ｕｍ，１０１Ｖｍ，１０１Ｗｍ，１０１Ｕｊ，１０１Ｖｊ，１０１Ｗｊ，１０１Ｐも一纏めに収容される。また、この例示のセンサ収容部材５０には、負極用の導電部材１０２を収容する収容室５２も形成されている。例えば、このセンサ収容部材５０は、角筒状の主体５０Ａの内方にそれぞれの収容室５１，５２が並べて配置されている。
【００３３】
一方、位置決め保持機構６０については、それぞれの電流センサ１Ｕｍ，１Ｖｍ，１Ｗｍ，１Ｕｊ，１Ｖｊ，１Ｗｊ，１Ｐに対して１つずつ用意する。それぞれの位置決め保持機構６０は、収容室５１において、センサ収容部材５０と一体になって成形されている。
【００３４】
ここで、この電流センサ装置５は、それぞれの電流センサ１Ｕｍ，１Ｖｍ，１Ｗｍ，１Ｕｊ，１Ｖｊ，１Ｗｊ，１Ｐにおいて、磁気コア部材１０と磁気センサ２０と磁気シールド部材３０の形状及び配置、並びに、位置決め保持機構６０の構造、形状及び配置を略共通させている。また、この電流センサ装置５では、先に示したように、それぞれの導電部材１０１Ｕｍ，１０１Ｖｍ，１０１Ｗｍ，１０１Ｕｊ，１０１Ｖｊ，１０１Ｗｊ，１０１Ｐに同一品を用いている。従って、ここでは、１箇所の位置決め保持機構６０をそれぞれの電流センサ１Ｕｍ，１Ｖｍ，１Ｗｍ，１Ｕｊ，１Ｖｊ，１Ｗｊ，１Ｐに適用されるものの代表として例に挙げる。
【００３５】
位置決め保持機構６０は、筒状に形成された筒状収容体６１を有する（図４から図６）。センサ収容部材５０は、その筒状収容体６１を収容室５１に有している。筒状収容体６１は、磁気コア部材１０の筒軸方向に沿う筒軸を有するものであり、磁気コア部材１０と導電部材１０１との間に介在させる。この筒状収容体６１は、磁気コア部材１０の内方に、この磁気コア部材１０の筒軸方向に沿って挿通される。更に、この筒状収容体６１は、自らの内方に導電部材１０１を磁気コア部材１０の筒軸方向に沿って挿通させる。この筒状収容体６１は、複数の導電部材１０１を有する交流回路にて、その導電部材１０１毎に設ける。
【００３６】
この筒状収容体６１は、挿通させた導電部材１０１に対して触れることなく環状の隙間Ｄを空けて配置された内周壁６１Ａと、挿通させた導電部材１０１に向けて内周壁６１Ａの複数箇所から突出させ、隙間Ｄを保ちつつ導電部材１０１を保持する保持部６１Ｂと、を有する（図６）。この筒状収容体６１は、その内周壁６１Ａと保持部６１Ｂによって、導電部材１０１との間に隙間Ｄを用いた空気層Ｓａを形成する。その空気層Ｓａは、筒状収容体６１の外方の大気に連通させている。
【００３７】
電流センサ１においては、筒状収容体６１と導電部材１０１との間に空気層Ｓａが介在しているので、導電部材１０１が通電に伴い発熱した際に、その空気層Ｓａによる断熱効果を得ることができる。つまり、この電流センサ１においては、空気層Ｓａによって導電部材１０１の熱が筒状収容体６１に伝わり難くなっているので、筒状収容体６１、延いてはセンサ収容部材５０の耐久性を向上させることができる。従って、この電流センサ１においては、導電部材１０１に対する筒状収容体６１の保持力を維持することができるので、収容室５１に対する導電部材１０１の相対的な位置の変化を抑制することができる。このように、本実施形態の電流センサ１は、耐熱性に優れたものとなる。故に、筒状収容体６１は、断熱効果が得られる空気層Ｓａとなるように形成する。
【００３８】
例えば、保持部６１Ｂは、磁気コア部材１０の筒軸方向に対する直交断面で且つその直交断面における導電部材１０１との接触点側にて、保持部６１Ｂの突出方向における単位長さ当りの断面積が導電部材１０１との接触点に近づくにつれて小さくなるように形成することが望ましい。この形状の保持部６１Ｂは、導電部材１０１を保持しつつ導電部材１０１との接触面積を減らすことができる一方で、空気層Ｓａの体積を増加させることができるので、空気層Ｓａの断熱効果を高めることができる。
【００３９】
具体的に、この例示の筒状収容体６１は、内方で導電部材１０１を保持させると共に、外方で磁気コア部材１０の位置決めを行うことができるように形成する。つまり、この例示の筒状収容体６１は、収容室５１における磁気コア部材１０の相対的な位置を定めると共に、その相対的な位置を磁気コア部材１０の内方側から規制する位置規制部（コア位置規制部）としても利用する。この筒状収容体６１は、磁気コア部材１０の内方の形状（方体状の形状）に合わせた外形形状を有するものであり、収容室５１の壁面から磁気コア部材１０の筒軸方向に沿って突出させている。
【００４０】
この例示の筒状収容体６１は、磁気コア部材１０の筒軸と同軸で角筒状に形成されている。この筒状収容体６１は、コア主体１１の第１壁１１ａに対して内方側で対向配置された矩形状の第１壁６１ａを有する。また、筒状収容体６１は、コア主体１１における第１片部１１ｂ１と第２片部１１ｂ２とに対して内方側で対向配置された矩形状の第２壁６１ｂを有する。また、筒状収容体６１は、コア主体１１の第３壁１１ｃに対して内方側で対向配置された矩形状の第３壁６１ｃを有する。また、筒状収容体６１は、コア主体１１の第４壁１１ｄに対して内方側で対向配置された矩形状の第４壁６１ｄを有する。筒状収容体６１は、磁気コア部材１０の内方への挿通を可能にしつつ、自らに対する磁気コア部材１０の相対的な位置の変位量が少なく抑えられるように、第１から第４の壁１１ａ−１１ｄとの間隔を設定し、その設定値に合わせて形成する。
【００４１】
この例示の筒状収容体６１は、その内方が方体状の空間になっている。この筒状収容体６１においては、第１から第４の壁６１ａ−６１ｄのそれぞれの内方側の壁面が先に示した内周壁６１Ａとなり、内方における方体状の空間を形成する。その空間においては、複数の保持部６１Ｂで導電部材１０１の電流測定対象部１０１ａが保持されている。
【００４２】
筒状収容体６１においては、電流測定対象部１０１ａのそれぞれの平面毎に複数の保持部６１Ｂが設けられている。ここでは、第１壁６１ａ側の内周壁６１Ａと第２壁６１ｂ側の内周壁６１Ａとに、保持部６１Ｂを２つずつ設けている。それぞれの保持部６１Ｂは、筒状収容体６１の筒軸方向に対する直交断面が三角形を成すリブ状のものである。第１壁６１ａ側の保持部６１Ｂと第２壁６１ｂ側の保持部６１Ｂは、それぞれの頂点同士が電流測定対象部１０１ａのそれぞれの平面に対する挟持方向で向かい合わせとなるように配置されている。つまり、それぞれの保持部６１Ｂは、保持部６１Ｂの突出方向における単位長さ当りの断面積が導電部材１０１の平面との接触点に近づくにつれて小さくなっている。
【００４３】
更に、筒状収容体６１においては、電流測定対象部１０１ａのそれぞれの端面（筒状収容体６１の筒軸方向に対して直交方向に位置している端面）にも保持部６１Ｂを設けている。ここでは、第３壁６１ｃ側の内周壁６１Ａと第４壁６１ｄ側の内周壁６１Ａとに、保持部６１Ｂを１つずつ設けている。それぞれの保持部６１Ｂは、筒状収容体６１の筒軸方向に対する直交断面が三角形を成すリブ状のものである。第３壁６１ｃ側の保持部６１Ｂと第４壁６１ｄ側の保持部６１Ｂは、それぞれの頂点同士が電流測定対象部１０１ａのそれぞれの端面に対する挟持方向で向かい合わせとなるように配置されている。つまり、それぞれの保持部６１Ｂは、保持部６１Ｂの突出方向における単位長さ当りの断面積が導電部材１０１の端面との接触点に近づくにつれて小さくなっている。
【００４４】
導電部材１０１は、それぞれの保持部６１Ｂの頂点を押し潰しながら、筒状収容体６１に圧入される。筒状収容体６１のそれぞれの保持部６１Ｂは、電流測定対象部１０１ａにおけるそれぞれの平面とそれぞれの端面の四方向から、環状の隙間Ｄが形成されるように導電部材１０１を保持することができる。よって、筒状収容体６１の内方には、導電部材１０１との間に空気層Ｓａが形成される。
【００４５】
ところで、位置決め保持機構６０は、更に、収容室５１における磁気シールド部材３０の相対的な位置を定めるべく、磁気シールド部材３０を磁気シールド部材３０の外方側から挟持する保持部（以下、「シールド保持部」という。）６２を備える（図６）。そのシールド保持部６２は、磁気シールド部材３０の被保持位置の間隔に合わせた２つが対向配置されたものであり、リブ状に形成されている。それぞれのシールド保持部６２は、収容室５１の壁面から磁気コア部材１０の筒軸方向に沿って延在させている。それぞれのシールド保持部６２は、その筒軸方向に対する直交断面が三角形を成しており、その頂点同士が磁気シールド部材３０の挟持方向で向かい合わせとなるように配置されている。磁気シールド部材３０は、それぞれのシールド保持部６２の頂点を押し潰しながら、収容室５１に圧入される。この例示のシールド保持部６２は、それぞれの電流センサ１の配列方向で磁気シールド部材３０を挟持する。故に、ここでは、一方のシールド保持部６２を磁気シールド部材３０の第２壁３１ｂに当接させ、かつ、他方のシールド保持部６２を磁気シールド部材３０の第３壁３１ｃに当接させている。
【００４６】
更に、位置決め保持機構６０は、収容室５１における磁気シールド部材３０の相対的な位置をシールド保持部６２の挟持方向に対する交差方向で規制する位置規制部（以下、「シールド位置規制部」という。）６３を備える（図６）。この例示のシールド位置規制部６３は、その挟持方向に対する直交方向で磁気シールド部材３０の相対的な位置を規制する。
【００４７】
この例示のシールド位置規制部６３は、磁気シールド部材３０の第１壁３１ａ側と第１及び第２の片部３１ｄ，３１ｅ側とを磁気シールド部材３０の外方側から規制する。
【００４８】
第１壁３１ａ側においては、第１壁３１ａに対して磁気シールド部材３０の外方側で対向配置されている収容室５１の壁面５１ａをシールド位置規制部６３として利用する。ここでは、収容室５１における磁気シールド部材３０の相対的な位置の変位量が少なく抑えられるように、第１壁３１ａと壁面５１ａとの間隔を設定し、その設定値に合わせて壁面５１ａの位置を定める。
【００４９】
第１及び第２の片部３１ｄ，３１ｅ側においては、第１片部３１ｄに対して磁気シールド部材３０の外方側で対向配置された第１位置規制体６３Ａと、第２片部３１ｅに対して磁気シールド部材３０の外方側で対向配置された第２位置規制体６３Ｂと、がシールド位置規制部６３として設けられている。この例示の第１位置規制体６３Ａと第２位置規制体６３Ｂは、各々、片体状に形成され、かつ、収容室５１の壁面から磁気コア部材１０の筒軸方向に沿って突出させている。第１位置規制体６３Ａは、収容室５１における磁気シールド部材３０の相対的な位置の変位量が少なく抑えられるように、第１片部３１ｄとの間隔を設定し、その設定値に合わせて形成する。また、第２位置規制体６３Ｂは、収容室５１における磁気シールド部材３０の相対的な位置の変位量が少なく抑えられるように、第２片部３１ｅとの間隔を設定し、その設定値に合わせて形成する。
【００５０】
電流センサ１においては、以上示した位置関係で磁気コア部材１０と磁気シールド部材３０とを収容室５１に配置すると共に、磁気センサ２０と回路基板４０についても互いに電気的に接続させた状態で収容室５１に配置する。位置決め保持機構６０は、その収容室５１での磁気コア部材１０と磁気センサ２０と磁気シールド部材３０と回路基板４０の配置を保たせるための保持体６４を備えている（図４）。この例示の保持体６４は、収容室５１の様々な隙間を埋め尽くした埋設体であり、収容室５１に充填した液状のポッティング剤（エポキシ樹脂等）の硬化体である。但し、保持体６４は、空気層Ｓａを埋めぬように形成する。収容室５１においては、磁気コア部材１０等が配置された後、筒状収容体６１の内方の隙間Ｄを除いてポッティング剤が充填され、そのポッティング剤が硬化することで保持体６４が形成される。
【００５１】
以上示したように、本実施形態の電流センサ１は、空気層Ｓａの断熱効果によって耐熱性が向上しており、収容室５１に対する導電部材１０１の相対的な位置の変化を抑制することができるので、センサ特性の変化を抑えることができる。故に、この電流センサ１は、導電部材１０１に流れる電流の検出精度を一定の状態に保ち続けることができる。そして、電流センサ装置５においては、そのような電流センサ１が第１回転機用と第２回転機用とコントローラ用電源の正極用として形成される（電流センサ１Ｕｍ，１Ｖｍ，１Ｗｍ，１Ｕｊ，１Ｖｊ，１Ｗｊ，１Ｐ）。従って、この電流センサ装置５は、それぞれの電流センサ１Ｕｍ，１Ｖｍ，１Ｗｍ，１Ｕｊ，１Ｖｊ，１Ｗｊ，１Ｐにおいて、センサ特性の変化を抑えることができる。よって、この電流センサ装置５は、それぞれの電流センサ１Ｕｍ，１Ｖｍ，１Ｗｍ，１Ｕｊ，１Ｖｊ，１Ｗｊ，１Ｐにおいて、各々の導電部材１０１Ｕｍ，１０１Ｖｍ，１０１Ｗｍ，１０１Ｕｊ，１０１Ｖｊ，１０１Ｗｊ，１０１Ｐに流れる電流の検出精度を一定の状態に保ち続けることができる。
【符号の説明】
【００５２】
１，１Ｕｍ，１Ｖｍ，１Ｗｍ，１Ｕｊ，１Ｖｊ，１Ｗｊ，１Ｐ  電流センサ
５  電流センサ装置
１０  磁気コア部材
１１  コア主体
１２  ギャップ部
２０  磁気センサ
３０  磁気シールド部材
３１  シールド主体
５０  センサ収容部材
５１  収容室
６１  筒状収容体
６１Ａ  内周壁
６１Ｂ  保持部
１０１，１０１Ｕｍ，１０１Ｖｍ，１０１Ｗｍ，１０１Ｕｊ，１０１Ｖｊ，１０１Ｗｊ，１０１Ｐ  導電部材
Ｄ  隙間
Ｓａ  空気層
【図１】
2018189504.tif 000003
【図２】
2018189504.tif 000004
【図３】
2018189504.tif 000005
【図４】
2018189504.tif 000006
【図５】
2018189504.tif 000007
【図６】
2018189504.tif 000008